(57)【要約】【課題】ペットボトルや紙パックの交換が簡便に行え、しかも首部形状の異なるペットボトルについても簡単な構成で確実に固定することができる容器形ホルダを提供する。【解決手段】ペットボトルＰまたは紙パックＭを収納する有底筒状の容器部２と、この容器部２に設けられた把手部３と、容器部２に設けられ、容器部内に収納されたペットボトルＰまたは紙パックＭを固定する固定部とを備え、上記固定部は、容器部２の側壁に切目７を設けることにより形成された可撓片６と、この可撓片６の自由端側に容器部２の内壁よりも内側に突出した状態で設けられる突部８ａ，８ｂとを有し、容器部２内に収納されたペットボトルＰまたは紙パックＭの側壁からの反力によって外方に弾性変形するように構成されていることを特徴とする。【選択図】図１
2007254001.tif 000002
【特許請求の範囲】
【請求項１】
ペットボトルまたは紙パックを収納する有底筒状の容器部と、この容器部に設けられた把手部と、上記容器部に設けられ、上記容器部内に収納されたペットボトルまたは紙パックを固定する固定部とを備え、
上記固定部は、上記容器部の側壁に切目を設けることにより形成された可撓片と、この可撓片の自由端側に上記容器部の内壁よりも内側に突出した状態で設けられる突部とを有し、上記容器部内に収納された上記ペットボトルまたは紙パック側壁からの反力によって外方に弾性変形するように構成されていることを特徴とする容器形ホルダ。
【請求項２】
上記容器部の側壁に、舌片状の切目が設けられることによって上記可撓片が形成されている請求項１記載の容器形ホルダ。
【請求項３】
上記容器部の側壁に、上記容器部の口部から下方に向けて２本の平行な切目が設けられることによって上記可撓片が形成されている請求項１または２記載の容器形ホルダ。
【請求項４】
上記容器部の側壁に、上記容器部の口部から容器筒軸方向に向けて少なくとも１本のスリット状の切欠きが所定長さ形成され、この切欠きによって上記容器部側壁上部が撓むように構成されている請求項１〜３のいずれか１項に記載の容器形ホルダ。
【請求項５】
上記可撓片は上記容器部の側壁において対向する位置に少なくとも一対設けられている請求項１〜４のいずれか１項に記載の容器形ホルダ。
【発明の詳細な説明】
【技術分野】
【０００１】
本発明は液体を入れたペットボトルまたは紙パックを収納し、それらの取り扱いを容易にした容器形ホルダに関するものである。
【背景技術】
【０００２】
従来、ペットボトル収納容器として図１７に示す構成のものが知られている。このペットボトル収納容器は、ペットボトルを収納するための有底筒状の本体５０と、その本体５０に収納したペットボトルの抜けを防止するための中蓋５１と、その中蓋５１に螺合されるコップ５２等を備えている（例えば、特許文献１参照）。
【０００３】
上記ペットボトル収納容器は断熱容器として構成されているため、所定厚さの断熱材が本体５０内に筒状に内装されており、その断熱材を押えるための押え込みリング５３を介して中蓋５１が本体５０に固定されるようになっている。
【０００４】
また、ペットボトルを傾けて注ぐためにはペットボトルを本体５０に固定するための手段が必要であり、その固定手段として周鍔５１ａ（ペットボトルの首部を押える）を有する中蓋５１が備えられている。
【０００５】
この中蓋５１は、ペットボトルを交換する場合には簡単に本体５０から取り外すことができ、且つ、首部の形状が異なるペットボトルについても対応できるように構成されている。
【０００６】
具体的には、本体５０の上部に係止突部５０ａが設けられ、この係止突部５０ａに対応して中蓋５１に複数の係止受部（図示しない）が形成され、係止突部５０ａをその係止受部のいずれか一つと係合させることにより、首部の形状の異なるどのペットボトルについても固定することができる。
【０００７】
なお、係止突部５０ａは本体５０にコ字状に切り欠かれることによって形成された押し片５０ｂの外面に形成されており、この押し片５０ｂは中蓋５１の係合位置を調整する際に本体内側に向けて撓むことができ、撓んだ状態で外向きに付勢力を発生させるようになっている。
【特許文献１】特開平０７−２１５３７４号公報
【発明の開示】
【発明が解決しようとする課題】
【０００８】
しかしながら、従来のペットボトル収納容器では、ペットボトルを交換する毎に中蓋５１を本体５０から外し、取り付け時には中蓋５１と本体５０とを位置合わせしなければならないという不便さがある。
【０００９】
空になったペットボトルは大半の家庭では例えばお茶、水、健康飲料、スープ類等を入れて再利用されることが多いが、従来のペットボトル収納容器のように組立式のものは、頻繁に出し入れが行われるペットボトルの再利用には不向きである。
【００１０】
また、本体５０に係止突部５０ａを形成する一方で、中蓋５１にはその係止突部５０ａと対応させて係止受部を形成しなければならず構造が複雑になり、また、係止突部５０ａと係止受部の係合位置は無段階に調整できるものではないため、首部の形状が異なる複数種類のペットボトルを確実に固定することができないという問題もある。
【００１１】
本発明は以上のような従来のペットボトル収納容器における課題を考慮してなされたものであり、ペットボトルの出し入れが簡便に行え、しかも首部形状の異なるペットボトルについても簡単な構成で確実に固定することができる容器形ホルダを提供するものである。
【課題を解決するための手段】
【００１２】
本発明は、ペットボトルまたは紙パックを収納する有底筒状の容器部と、この容器部に設けられた把手部と、容器部に設けられ、容器部内に収納されたペットボトルまたは紙パックを固定する固定部とを備え、上記固定部は、容器部の側壁に切目を設けることにより形成された可撓片と、この可撓片の自由端側に容器部の内壁よりも内側に突出した状態で設けられる突部とを有し、上記容器部内に収納された上記ペットボトルまたは紙パック側壁からの反力によって外方に弾性変形するように構成されている容器形ホルダである。
【００１３】
本発明のペットボトル、紙パックとは、例えば、飲料水、調味料、または酒類等を貯留している、容量１．０〜２．０ｌの角型形状のものが示される。さらに、ペットボトルについてはペットボトル入り飲料水等として販売されているものや、容器として家庭でリサイクル使用されるものが含まれる。
【００１４】
本発明において、上記容器部の側壁に舌片状の切目を設けることによって上記可撓片を形成することができる。また、上記可撓片は、容器部の側壁において容器部の口部から下方に向けて２本の平行な切目を設けることによっても形成することができる。また、上記可撓片は、上記舌片状の切目によるものと平行な切目によるものとを含むことができる。
【００１５】
さらにまた、容器部の側壁に、容器部の口部から容器筒軸方向に向けて少なくとも１本のスリット状の切欠きを所定長さ形成し、この切欠きによって容器部側壁上部が撓むように構成することもできる。
【００１６】
本発明において、容器部の側壁において対向する位置に上記可撓片を少なくとも一対設ければ、ペットボトルまたは紙パックを把持した状態で固定することができる点で好ましい。
【発明の効果】
【００１７】
本発明によれば、ペットボトルまたは紙パックを固定する固定部が容器部に一体化されているためペットボトルまたは紙パックの交換が簡便に行え、また、固定部はペットボトルまたは紙パックの側壁を押圧するように構成されているため、容器形ホルダ内に収納されたペットボトルまたは紙パックを固定することができる。さらに、ペットボトルについては首部形状の異なるものついても固定することができる。
【発明を実施するための最良の形態】
【００１８】
以下、図面に示した実施の形態に基づいて本発明を詳細に説明する。
【００１９】
本発明の容器形ホルダは、ペットボトルを収納保持するように構成された第一の形態と、紙パックを収納保持する第二の形態がある。
【００２０】
図１〜図１２は、第一の形態としての容器形ホルダを示したものである。
【００２１】
まず、図１に示す容器形ホルダにおいて、(ａ)は平面図、(ｂ)は左側面図、(ｃ)は図１(ａ)のＡ−Ａ矢視縦断面図、(ｄ)は右側面図をそれぞれ示している。
【００２２】
本実施形態において、容器形ホルダ１に収納されるペットボトルＰは２０００ｍｌ容器を対象としており、その形状は知られているように、有底角筒状をなし上部は先細に形成され、口部に形成されているねじ部にキャップＰａが螺合されているものである。
【００２３】
このペットボトルＰが収納される容器形ホルダ１は、ペットボトルＰのほぼ肩部Ｐｂまで収納することができる有底角筒状の本体（容器部）２を有し、この本体２は４つの側壁２ａ，２ｂ，２ｃ，２ｄと底板２ｅを有し、側壁２ｂに把手（把手部）３が一体成形されている。
【００２４】
この容器形ホルダ１は例えば、ＡＢＳ樹脂、ＡＳ樹脂、ＰＰ樹脂、アクリル樹脂等を成形型を用いて成形したものである。
【００２５】
把手３が形成されている側壁２ｂと対向する側壁２ｄの上部には、容器形ホルダ１内に収納されたペットボトルＰを側壁２ｂに向けて押し付ける押付部４が形成されている。
【００２６】
この押付部４は、図２の斜視図に示すように、上向きコ字状に切目４ａが形成されることによりその切目４ａの内側に舌片状に形成されるものであり、押付部４の自由端４ｂ側（下側）内面には複数の突条４ｃが垂直方向に形成されている。
【００２７】
これらの突条４ｃは、中央部分（垂直方向において）が山形に隆起しており、容器形ホルダ１内にペットボトルＰが挿入すると、固定端４ｄを支点として外向きに弾性変形してペットボトルＰの挿入を容易にするとともに、ペットボトルＰが収納された後は、復元力を利用してその側壁を押圧し、ペットボトルＰを固定するようになっている。
【００２８】
また、図１において別の対向する側壁２ａ，２ｃにも、それぞれ容器形ホルダ１内に収納されたペットボトルＰを固定するための把持片（可撓片）６，６（同図(ｃ)に奥側のみ図示）が形成されている。
【００２９】
これらの把持片６は、上向きコ字状に切目７が形成されることによりその切目７の内側に舌片状に形成されるものであり、図３に示すように、把持片６の自由端６ａ側（下側）内面には突条（突部）８ａが形成されている。なお、図３は図１のＢ−Ｂ矢視断面図、すなわち上記把持片６の縦断面を示している。
【００３０】
突条８ａは、把持片６の横幅Ｗ（図１(ｃ)参照）とほぼ同じ長さ水平方向に形成されており、その断面は頂部がアールに形成された山形形状となっている。この突条８ａを備えた把持片６は、容器形ホルダ１内にペットボトルＰが挿入された場合、把持片６の裾部６ｂを支点として矢印Ｄ方向に撓むようになっており、突条８ａの頂部８ａ′と側壁２ｄの内面とがほぼ面一になる。
【００３１】
この撓んだ状態の把持片６は板ばねとして機能するため付勢力が生じ、それにより、矢印Ｄ方向と反対向きの把持力をペットボトルＰの側壁に対して作用することになる。また、把持片６は対向して一対設けられているため、ペットボトルＰを両側から挟み込んだ状態で固定する。
【００３２】
また、把手３は図１に示したように、垂直方向に所定の隙間Ｓを設けて平行に配置された二枚の帯状板部３ａおよび３ｂを有し、これらの帯状板部３ａおよび３ｂはその両端部のみ接続部３ｃ，３ｄによって接続されている。それにより、この把手３を握った場合には、使用者の手になじんで二枚の帯状板部３ａおよび３ｂが適度に撓み、ペットボトルＰの重さを緩和するようになっている。なお、３ｅおよび３ｆは帯状板部３ａと側壁２ｂとを接続している柱状支持部である。なお、把手３は上記に限らず、一枚板で構成することもできる。
【００３３】
図４は固定部の変形例を示したものである。
【００３４】
同図(ａ)は側壁２ｄ側から、同図(ｂ)は側壁２ｂ側から見たものである。
【００３５】
なお、以下の説明において図１と同じ構成要素については同一符号を付してその説明を省略する。
【００３６】
図４に示す容器形ホルダ１では、側壁２ｄに、容器形ホルダ１の上縁から深さｄにわたってスリット５が垂直方向に形成されており、側壁２ｄ内面においてそのスリット５の上部両縁部に突部５ａ，５ａが水平方向に形成されている。
【００３７】
この構成ではスリット５によって分割された側壁２ｄ′が弾性変形してペットボトルを側壁２ｂ側に押し付け、把持片６，６がペットボトルを固定するようになっている。
【００３８】
図５〜図１２は容器形ホルダ１における固定部の配置パターンを示したものである。
【００３９】
図５(ａ)および(ｂ)に示す容器形ホルダ１は、側壁上部に下向きコ字状の切目７を形成することにより把持片６を設け、その把持片６の上端側自由端に突条８を形成したものである。
【００４０】
ただし、同図(ａ)に示す容器形ホルダ１は、側壁２ａと側壁２ｃに把持片６を対向して配設したものであり、同図(ｂ)に示す容器形ホルダ１は側壁２ａ，２ｃ，２ｄそれぞれに把持片６を配設している。
【００４１】
図５(ａ)の構成ではペットボトルＰの側壁を両側から把持しており、ペットボトルＰの挿入しやすさと固定力とを両立させることができる。これに対し、図５(ｂ)の構成ではペットボトルＰを三方向から把持するため、ペットボトルの固定力をより高めることができる。
【００４２】
また、図６に示す容器形ホルダ１は、側壁上部に上向きコ字状の切目１１を形成することにより把持片６を一対設け、把持片６の下端側自由端に突条８を形成したものである。
【００４３】
同図(ａ)は側壁２ａと側壁２ｃにのみ把持片６を対向して配設したものであり、同図(ｂ）は側壁２ａ，２ｃ，２ｄそれぞれに把持片６を配設したものである。
【００４４】
図６に示す構成では、容器形ホルダ１内にペットボトルＰを挿入すると、図７に示すように、把持片６下側に形成されている突条８を介して把持片６が外側に開き、把持片６の撓みによって生じた付勢力によってペットボトルＰの両側壁を押圧し固定することになる。
【００４５】
この場合も図５で説明したように、把持片６の配置を２箇所または３箇所のいずれかに選択することにより、ペットボトルＰの固定力を調節することができる。
【００４６】
また、図８に示す容器形ホルダ１は、側壁２ａ，２ｃ上部に、ホルダ口部（容器部の口部）２ｆに連絡する切目１２を縦方向に平行に設け、切目１２の間の側壁を把持片（可撓片）１３としたものである。
【００４７】
同図(ａ)に示すものは、側壁２ａおよび２ｃに把持片１３を対向して配設したものであり、同図(ｂ)に示すものは、側壁２ａ，２ｃ，２ｄそれぞれに把持片１３を配設したものである。
【００４８】
各把持片１３の自由端には突条１４が水平方向に形成されている。この突条１４は上記突条８と同じ機能を有するものである。
【００４９】
図９に示す容器形ホルダ１は、ホルダ口部２ｆに連絡する切目を容器のコーナー部に設け、側壁上部全体を把持片として機能させるものである。
【００５０】
同図(ａ)は側壁２ａ，２ｃの把手寄りにそれぞれ切目１５を縦方向に一定長さ形成するとともに、側壁２ａと側壁２ｄが交わるコーナー部、および側壁２ｃと側壁２ｄが交わるコーナー部にそれぞれ所定幅Ｖからなる切欠き１６を凹状に形成したものである。上記切目１５および切欠き１６は平行な切目とみなすことができる。
【００５１】
なお、各側壁２ａ，２ｃ，２ｄの上端部内壁には、ほぼ側壁の横幅にわたって突条１７が水平方向に形成されている。
【００５２】
また、図９(ｂ)に示す容器形ホルダ１は図９(ａ)に示した切欠き１６間の側壁を除去したものである。
【００５３】
図１０(ａ)に示す容器形ホルダ１は、一部の側壁２ｄにのみホルダ口部２ｆに連絡する状態でスリット状の切欠き１８を設け、側壁２ａおよび２ｃの上部内壁にそれぞれ山形の突部１９，１９を垂直方向に形成したものである。この構成では容器形ホルダ１内にペットボトルＰが挿入されると、側壁２ａから２ｄにかけて、側壁上部が全体的に外側に開き、側壁２ａ内面および側壁２ｃ内面に形成された一対の突部１９，１９によってペットボトルＰが把持される。
【００５４】
図１０(ｂ)に示す容器形ホルダ１は、対向する２つの側壁２ａ，２ｃそれぞれに、ホルダ口部２ｆに連絡するスリット状の切欠き２０を縦方向に設け、側壁２ｄおよび２ｂの上部内面にそれぞれ突条（突部）２１，２１を水平方向に形成したものである。この構成では容器形ホルダ１内にペットボトルＰが挿入されると、側壁２ｄが若干、外側に開き、その側壁２ｄおよび側壁２ｂに形成されている突条２１，２１よってペットボトルＰが把持される。
【００５５】
図１１は図１０(ａ)に示す容器形ホルダ１内にペットボトルＰを挿入した状態を示す横断面図である。
【００５６】
同図に示すように、突部１９，１９がペットボトルＰの側壁に押されることにより、側壁２ａおよび２ｃがそれぞれ矢印Ｆ方向に若干、押し広げられ、側壁２ａおよび２ｃが撓むことによって生じる付勢力によってペットボトルＰが把持される。
【００５７】
図１２は図１０(ｂ)に示す容器形ホルダ１内にペットボトルＰを挿入した状態を示す横断面図である。
【００５８】
同図に示すように、側壁２ｄの上部内壁に形成された突条２１がペットボトルＰの側壁に押されることにより、側壁２ｄが矢印Ｇ方向に若干、押し広げられ、側壁２ｄが撓むことによって生じる付勢力によってペットボトルＰが把持される。
【００５９】
上記した容器形ホルダ１によれば、ペットボトルＰを容器形ホルダ１内に固定する固定部が本体２と一体に形成されているため、ペットボトルＰを交換する際に、従来のペットボトル収納容器のように中蓋を分解し組み立てる作業が不要になる。
【００６０】
また、空になったペットボトルに例えば冷水、冷茶、だし汁、スープ等を入れてペットボトルを再利用するような場合でも、ペットボトルを収納容器に簡単に挿入してワンタッチで固定することができ、卓上水差しポット（冷水用として使用する場合）として使用することができるという利点がある。
【００６１】
また、容器形ホルダ１は有底筒状に形成されているため、冷水を入れたペットボトルを収納した場合に外気温との差によってペットボトル表面に生じる水滴を受ける水滴受けとして機能する。
【００６２】
上記構成からなる容器形ホルダ１は、ペットボトル１に限らず、飲料水、ジュース、牛乳、酒類、調味料等を収納する紙パック（液体用紙容器）にも適用することもできる。
【００６３】
図１３〜図１６は本発明の第二の形態として紙パックを収納保持する容器形ホルダ３０を示したものである。
【００６４】
容器形ホルダ３０が容器形ホルダ１と異なる点は、本体２のサイズが紙パックのサイズに合わせて若干小さいサイズに形成されていること、および本体２の横断面形状が紙パックの横断面に合わせて略正方形に形成されていることである。しかしながら、紙パックを固定する固定部としての把持片６の構成は基本的に図１に示した容器形ホルダ１と同じである。また、図中、Ｍは容器形ホルダ３０に収納された紙パックを示している。
【００６５】
図１４は把持片６の配置の変形例を示したものである。
【００６６】
同図(ａ)および(ｂ)に示した容器形ホルダ３０は、把持片６を本体２の下部且つコーナー寄りに配置している。把持片６を上記配置にすれば、紙パックＭにおいて比較的変形しにくい部分を把持することになるため、紙パックＭをより確実に固定することができる。
【００６７】
なお、把持片６の配置は、これに限らず、本体２のコーナー寄りであって、同図(ｃ)および(ｄ)に示すように本体２の上部に配置することもできる。
【００６８】
また、図１５は把持片６のさらに別の配置を示したものである。
【００６９】
同図(ａ)は把持片６を本体２の下部であって側壁２ａの中央部分に配置した例を示したものである。
【００７０】
同図(ｂ)〜(ｄ)は把持片６を本体２の下端部に配置したものであり、(ｂ)は側壁２ａの中央部分に、(ｃ)、(ｄ)はコーナー寄りにそれぞれ配置したものである。
【００７１】
ただし、(ｂ)〜(ｄ)の把持片６については、成形時の抜き型を考慮して突条８を垂直方向に形成している。
【００７２】
図１６(ａ)は図１５(ａ)の把持片６の形状を示したものであり、図１６(ｂ)は図１５(ｂ)〜(ｄ)の把持片６の形状を示したものである。
【００７３】
また、図１６(ｃ)は把持片６の変形例としてリブ３１および３２を示したものである。なお、両リブ３１および３２は便宜上同一壁面に並べて示しているが、いずれか一方が選択的に形成される。上記リブ３１および３２は弾性変形する把持片６を備えていないが、容器形ホルダ１内に収納された紙パックＭを、側壁２ａと対向する側壁側に押し付けることができるため補助固定部として付加することができる。
【００７４】
なお、図１６(ｂ)および(ｃ)において、Ｎは成形型の中子を抜くための貫通孔である。紙パックＭではその表面に結露が生じにくいため、水滴受けを必要とせずこのような貫通孔を形成しても問題はない。
【００７５】
上記構成を有する本発明の容器形ホルダ１および容器形ホルダ３０は、握力の低い女性や子供、或いは握力の低下した高齢者に特に好適である。
【図面の簡単な説明】
【００７６】
【図１】本発明に係る容器形ホルダについて第一の形態の構成を示したものであり、(ａ)は平面図、(ｂ)は左側面図、(ｃ)は図１(ａ)のＡ−Ａ矢視縦断面図、(ｄ)は右側面図である。
【図２】図１の押付部の構成を示す斜視図である。
【図３】図１のＢ−Ｂ矢視縦断面図である。
【図４】(ａ)および(ｂ)は押付部の変形例を示した要部斜視図である。
【図５】(ａ)および(ｂ)は把持片の別の配置パターンを示した要部斜視図である。
【図６】(ａ)および(ｂ)は把持片のさらに別の配置パターンを示した要部斜視図である。
【図７】把持片の動作状態を示す要部縦断面図である。
【図８】(ａ)および(ｂ)は本発明に係る固定部の第二の実施形態を示した要部斜視図である。
【図９】(ａ)および(ｂ)は本発明に係る固定部の第三の実施形態を示した要部斜視図である。
【図１０】(ａ)および(ｂ)は本発明に係る固定部の第四の実施形態を示した要部斜視図である。
【図１１】図１０(ａ)に示す容器形ホルダのペットボトル収納状態を示す横断面図である。
【図１２】図１０(ｂ)に示す容器形ホルダのペットボトル収納状態を示す横断面図である。
【図１３】本発明に係る容器形ホルダについて第二の形態の構成を示した図１相当図である。
【図１４】(ａ)〜(ｄ)は図１３に示した把持片の配置パターンを示す説明図である。
【図１５】(ａ)〜(ｄ)は図１３に示した把持片のさらに別の配置パターンを示す説明図である。
【図１６】(ａ)〜(ｃ)は図１５に示した把持片およびその変形例を示す要部斜視図である。
【図１７】従来のペットボトル収納容器の構成を説明する分解斜視図である。
【符号の説明】
【００７７】
１    容器形ホルダ
２    本体
２ａ，２ｂ，２ｃ，２ｄ  側壁
２ｅ  底板
２ｆ  ホルダ口部
３    把手
３ａ，３ｂ  帯状板部
４    押付部
４ａ  切目
４ｃ  突条
５    スリット
５ａ，５ｂ  突部
６    把持片
７    切目
８ａ，８ｂ  突条
９    補強リブ
Ｐ    ペットボトル
Ｍ    紙パック
【図１】
2007254001.tif 000003
【図２】
2007254001.tif 000004
【図３】
2007254001.tif 000005
【図４】
2007254001.tif 000006
【図５】
2007254001.tif 000007
【図６】
2007254001.tif 000008
【図７】
2007254001.tif 000009
【図８】
2007254001.tif 000010
【図９】
2007254001.tif 000011
【図１０】
2007254001.tif 000012
【図１１】
2007254001.tif 000013
【図１２】
2007254001.tif 000014
【図１３】
2007254001.tif 000015
【図１４】
2007254001.tif 000016
【図１５】
2007254001.tif 000017
【図１６】
2007254001.tif 000018
【図１７】
2007254001.tif 000019